(57)【要約】【課題】保温粒体による保温性を維持向上させることができるとともに保温粒体の布団皮からの漏出を抑制することができる布団などの寝具を提供する。【解決手段】布団１００は、布団皮１０１を備えている。布団皮１０１は、保温材１０５を保持袋１０２を介して収容するためのものであり、布材を袋状に形成して構成されている。保持袋１０２は、布団皮１０１内において保温材１０４を収容するための袋である。保持袋１０２の外表面には、アルミニウム材を蒸着した保温層１０３が形成されている。保温材１０４は、綿によって構成されており、綿の隙間に保温粒体１０５を備えている。保温粒体１０５は、保温材１０４の保温性を維持向上させるための部材であり、互いに大きさの異なる複数種類の発泡樹脂製の粒状体によって構成されている。【選択図】  図２
2014207961.tif 000002
【特許請求の範囲】
【請求項１】
シート材を袋状に形成した布団皮内に綿、羽毛、羊毛および多孔質体のうちの少なくとも１つを含んで構成される保温材を詰めた寝具において、
前記保温材内に、前記保温材内の隙間や孔部に進入可能な大きさでかつ互いに大きさが異なる複数の発泡樹脂製の粒体からなる保温粒体が混合されていることを特徴とする寝具。
【請求項２】
請求項１に記載した寝具において、
前記保温粒体は、大きさが１.０ｍｍ以上の保温粒体が１.０ｍｍ未満の大きさの保温粒体の数よりも多いことを特徴とする寝具。
【請求項３】
請求項１または請求項２に記載した寝具において、
前記保温粒体は、
前記保温材に混合される前記保温粒体の大きさのメディアン値が同保温材に混合される前記保温粒体の大きさの平均値よりも大きいことを特徴とする寝具。
【請求項４】
請求項１または請求項２に記載した寝具において、
前記保温粒体は、
前記保温材に混合される前記保温粒体の大きさの平均値以上の大きな前記保温粒体の数が前記平均値未満の大きさの前記保温粒体の数よりも多いことを特徴とする寝具。
【請求項５】
請求項１または請求項２に記載した寝具において、
前記保温材に混合される前記保温粒体の大きさのメディアン値が同保温材に混合される前記保温粒体の大きさの平均値よりも小さいことを特徴とする寝具。
【発明の詳細な説明】
【技術分野】
【０００１】
本発明は、保温性を向上させた布団などの寝具に関する
【背景技術】
【０００２】
従来から、布材を袋状に形成した布団皮内に綿（わた）や羽毛などからなる保温材を詰めた布団が知られている。例えば、下記特許文献１には、羽毛からなる保温材内に発砲ポリスチレン製の微細粒子からなる保温粒体を混合した羽毛布団が開示されている。
【先行技術文献】
【特許文献】
【０００３】
【特許文献１】実用新案登録第３０５６１４０号公報
【０００４】
しかしながら、上記特許文献１に記載した布団においては、保温材内に混ぜた微粒子からなる保温粒体が保温材から離脱して布団皮内の底部に溜まって保温性が低下するとともに布団皮の底部に溜まった保温粒体が布団皮内から漏出することがあるという問題があった。
【発明の概要】
【０００５】
本発明は上記問題に対処するためなされたもので、その目的は、保温粒体による保温性を維持向上させることができるとともに保温粒体の布団皮からの漏出を抑制することができる布団などの寝具を提供することにある。
【０００６】
上記目的を達成するため、本発明の特徴は、シート材を袋状に形成した布団皮内に綿（わた）、羽毛、羊毛および多孔質体のうちの少なくとも１つを含んで構成される保温材を詰めた寝具において、保温材内に、保温材内の隙間や孔部に進入可能な大きさでかつ互いに大きさが異なる複数の発泡樹脂製の粒体からなる保温粒体が混合されていることにある。この場合、多孔質体は、空気を保持する複数の孔部を有して構成されており、例えば、スポンジ、ウレタンおよび発泡スチロールなどがある。また、寝具としては、掛け布、敷布のほか、マットレス、枕または寝袋などがある。
【０００７】
このように構成した本発明の特徴によれば、寝具は、綿（わた）や羽毛などからなる保温材内に互いに大きさが異なる複数の粒体からなる保温粒体が混合されているため、保温材内の様々な大きさの隙間にこの隙間に応じた大きさの保温粒体がそれぞれ嵌って保持される。これにより、本発明に係る寝具は、保温粒体が保温材に効果的に保持されて保温材からの離脱が抑制されるため、保温粒体による保温性を維持向上させることができるとともに保温粒体の布団皮からの漏出を抑制することができる。
【０００８】
また、本発明の他の特徴は、前記寝具において、保温粒体は、大きさが１.０ｍｍ以上の保温粒体が１.０ｍｍ未満の大きさの保温粒体の数よりも多いことにある。
【０００９】
このように構成した本発明の他の特徴によれば、寝具は、保温粒体の大きさが１.０ｍｍ以上の保温粒体が１.０ｍｍ未満の大きさの保温粒体の数よりも多く含まれて構成されている。すなわち、寝具は、保温材における隙間や孔部に嵌ったり引っ掛かったりし易い大きさの大きな保温粒体が大きさの小さい保温粒体に比べて混合比率が大きいため、保温粒体による保温性を維持向上させることができるとともに保温粒体の表皮からの漏出を抑制することができる。また、本発明に係る寝具によれば、使用に従って失われやすい寝具のふっくらとした膨張感を長期に維持することもできる。なお、この場合、大きさが１.０ｍｍ以上の保温粒体および大きさが１.０ｍｍ未満の大きさの保温粒体の数は、適当な数（例えば、１００〜５００個）の保温粒体を無作為に抽出したサンプリング法によって設定することができる。
【００１０】
また、本発明の他の特徴は、前記寝具において、保温粒体は、保温材に混合される保温粒体の大きさのメディアン値が同保温材に混合される保温粒体の大きさの平均値よりも大きいことにある。
【００１１】
このように構成した本発明の他の特徴によれば、寝具は、保温材に混合される保温粒体は、大きさの分布が均等（正規分布）ではなく大きい方に偏るようになる。すなわち、保温粒体は、分布の度数が高い大きさ保温粒体に対してかなり小さな大きさの保温粒体を含むことになる。これにより、寝具は、保温材における小さな隙間や孔部にまで保温粒体が進入することができるため、寝具の保温性を向上させることができる。なお、この場合、保温材に混合される保温粒体の大きさのメディアン値が同保温材に混合される保温粒体の大きさの平均値よりも大きく設定されているか否かは、適当な数（例えば、１００〜５００個）の保温粒体を無作為に抽出したサンプリング法によって確認することができる。
【００１２】
また、本発明の他の特徴は、前記寝具において、保温粒体は、保温材に混合される保温粒体の大きさの平均値以上の大きな保温粒体の数が平均値未満の大きさの保温粒体の数よりも多いことにある。
【００１３】
このように構成した本発明の他の特徴によれば、寝具は、保温材に混合される保温粒体の大きさの平均値以上の大きな保温粒体の数が平均値未満の大きさの保温粒体の数よりも多く含まれて構成されている。すなわち、寝具は、保温材における隙間や孔部に嵌ったり引っ掛かったりし易い大きさの大きな保温粒体が大きさの小さい保温粒体に比べて混合比率が大きいため、保温粒体による保温性を維持向上させることができるとともに保温粒体の表皮からの漏出を抑制することができる。なお、この場合、前記平均値よりも大きさが大きい保温粒体および大きさ小さい保温粒体の数は、適当な数（例えば、１００〜５００個）の保温粒体を無作為に抽出したサンプリング法によって設定および確認することができる。
【００１４】
また、本発明の他の特徴は、前記寝具において、保温粒体は、保温材に混合される保温粒体の大きさのメディアン値が同保温材に混合される保温粒体の大きさの平均値よりも小さいことにある。
【００１５】
このように構成した本発明の他の特徴によれば、寝具は、保温材に混合される保温粒体の大きさの分布において、大きさの小さい側の保温粒体の数が大きさの大きな側の保温粒体の数に比べて多くなるため、保温材の隙間や孔部に対して複数の保温粒体が嵌り易くなって寝具の保温性を向上させることができる。なお、この場合、保温材に混合される保温粒体の大きさのメディアン値が同保温材に混合される保温粒体の大きさの平均値よりも小さく設定されているか否かは、適当な数（例えば、１００〜５００個）の保温粒体を無作為に抽出したサンプリング法によって確認することができる。
【００１６】
また、前記寝具において、保温粒体は、大きさが０.５ｍｍ以上４.０ｍｍ以下に設定することができる。これによれば、寝具は、保温粒体の大きさが０.５ｍｍ以上４.０ｍｍ以下の範囲で形成されているため、本発明者の実験によれば、保温粒体を効果的に保温材内に保持させることができる。
【００１７】
また、前記寝具において、布団皮は、仕切線によって内部空間を仕切って構成することもできる。これによれば、寝具は、布団皮の内部空間が仕切線によって細かく仕切られているため、布団皮が保温材を押さえる力が強くなることにより保温粒体が保温材から離脱することをより効果的に抑制することができる。また、寝具は、保温材から離脱した保温粒体が布団皮内にて一箇所に集まって寝具の使用感を低下させることを抑えることができるとともにふっくらとした膨張感の喪失を抑制することができる。
【図面の簡単な説明】
【００１８】
【図１】本発明の一実施形態に係る寝具としての布団の外観構成の概略を示す斜視図である。
【図２】図１に示した布団の一部の断面を拡大して示す一部拡大断面図である。
【発明を実施するための形態】
【００１９】
以下、本発明に係る寝具としての布団の一実施形態について図面を参照しながら説明する。図１は、本発明に係る布団１００の外観構成の概略を示す斜視図である。また、図２は、図１に示した布団１００の一部の断面を拡大して示す一部拡大断面図である。なお、本明細書において参照する図は、本発明の理解を容易にするために一部の構成要素を誇張して表わすなど模式的に表している。このため、各構成要素間の寸法や比率などは異なっていることがある。この布団１００は、人が就寝する際に身体の上に掛けて身体を保温する寝具、すなわち、掛け布団である。
【００２０】
（布団１００の構成）
布団１００は、布団皮１０１を備えている。布団皮１０１は、後述する保温材１０５を収容するためのものであり、布材を袋状に形成して構成されている。より具体的には、布団皮１０１は、身体を覆うことができる大きさに形成された２枚の長方形状の布材を互いに重ね合わせるとともにこれらの重ね合わせた２つの布材の周囲を縫合することによって内部に空間を有した袋状に形成されている。本実施形態においては、布団皮１０１は、ポリエステル樹脂製の綿（化学繊維）と木綿とを混合した生地によって構成されている。この布団皮１０１内には、保持袋１０２が収容されている。
【００２１】
保持袋１０２は、布団皮１０１内において保温材１０４を収容するためのものであり、
布団皮１０１の内側の大きさに対応する大きさの袋状に形成されている。本実施形態においては、保持袋１０２は、２枚の樹脂製のフィルム材を互いに重ね合わせるとともに重ね合わせた２つのフィルム材の周囲を溶着することによって内部空間が密閉された袋状に形成されている。なお、図２においては、保持袋１０２を明確に示すため、保持袋１０２の厚さを誇張して表している。
【００２２】
この保持袋１０２の外表面には、保温層１０３が形成されている。保温層１０３は、布団１００の保温性を向上させるためのものであり、外部からの熱線（赤外線）を反射または吸収する材料で構成されている。本実施形態においては、保温層１０３は、保持袋１０２の外表面にアルミニウム材を蒸着した薄膜で構成されている。この保持袋１０２内には、保温材１０４が収容されている。
【００２３】
保温材１０４は、身体を外気から遮断して保温するための部材であり、羽毛や綿（わた）によって構成されている。本実施形態においては、保温材１０４は、ポリエステル樹脂製の綿（化学繊維）からなる中綿によって構成されている。この場合、保温材１０４を構成する綿は、中実の糸のほか、中空糸で構成することにより保温性をより高めることができる。この保温材１０４には、保温粒体１０５が分散配置されている。
【００２４】
保温粒体１０５は、保温材１０４の保温性を維持向上させるための部材であり、互いに大きさの異なる複数種類の発泡樹脂製の粒状体によって構成されている。本実施形態においては、保温粒体１０５は、０.５〜２.０ｍｍの大きさの範囲で複数種類の大きさに形成された発泡ポリスチレン樹脂製の球体群によって構成されている。この場合、保温粒体１０５は、大きさが１.０ｍｍ以上の保温粒体１０５が１.０ｍｍ未満の大きさの保温粒体１０５の数よりも多く構成されている。
【００２５】
また、保温粒体１０５の保温材１０４に対する混合量は、保温材１０４の重量に対して５％以上かつ４０％以下、好ましくは、１０％以上かつ３０％以下、より好ましくは１５％以上かつ２５％以下が好適である。本実施形態においては、保温粒体１０５の保温材１０４に対する混合量は、保温材１０４の重量に対して１６％に設定されている。
【００２６】
また、この布団１００には、布団皮１０１および保持袋１０３の各内部空間を仕切線１０６によって区画するキルティング加工が施されている。ここで、キルティング加工とは、布団皮１０１および保持袋１０３を刺し縫いすることによって布団皮１０１および保持袋１０３の各内部空間を仕切って保持袋１０３内での保温材１０４のずれや偏りを防止するための加工である。
【００２７】
この仕切線１０６は、就寝中の身体に布団１００が沿うように形成されている。具体的には、仕切線１０６は、主として、中央仕切線１０７、人形仕切線１０８ａ、補助仕切線１０８ｂおよび外周仕切線１０９によって構成されている。これらのうち、中央仕切線１０７は、布団１０１の中央部に長手方向に沿って延びる楕円形状に形成されている。この場合、中央仕切線１０７は、楕円形状の長軸の長さが身体における胸部から臀部に相当する長さに形成されるとともに短軸の長さ（幅）が身体における腹部または胸部の幅に相当する長さに形成される。
【００２８】
人形仕切線１０８ａは、人が仰臥した際における肩から大腿部までの平面形状に略対応しており、中央仕切線１０７の外側において長軸に沿う部分が絞られるとともにこの絞られた部分から布団１００の長手方向（頭部側および足側）に沿ってそれぞれ二股に広がった形状でかつ連続的に繋がって形成されている。
【００２９】
補助仕切線１０８ｂは、人形仕切線１０８ａの中央部の絞られた部分に対向配置されるとともに同部分に対して平行に湾曲して形成されている。また、外周仕切線１０９は、人形仕切線１０８ａおよび補助仕切線１０８ｂの外側において布団皮１０１の外周部に沿って方形状に形成されている。
【００３０】
ここで、布団１００の製造過程について簡単に説明しておく。まず、布団１００を製造する作業者は、保温材１０４と保温粒体１０５とをそれぞれ用意する。本実施形態においては、作業者は、保温材１０４としてポリエステル樹脂製の綿を用意するとともに、保温粒体１０５として０.５〜２.０ｍｍの大きさの範囲で複数種類の大きさに形成された発泡ポリスチレン樹脂製の球体群を保温材１０４の重量に対して１６％の重量割合で用意する。
【００３１】
次いで、作業者は、用意した保温材１０４と保温粒体１０５とをそれぞれ図示しない撹拌機を用いて撹拌することにより、ポリエステル樹脂製の綿と保温粒体１０５とを互いに混ぜ合わせる。この場合、保温粒体１０５は、互いに異なる複数種類の大きさで構成されているため、保温材１０４の内部に形成される大小様々な大きさの隙間にそれぞれ対応する大きさの保温粒体１０５が嵌って保持される。これにより、作業者は、保温材１０４と保温粒体１０５とを効率的に分散配置した状態で混ぜ合わせることができる。次いで、作業者は、開口部を有する袋状の保持袋１０２を用意するとともに、この保持袋内に前記互いに混ぜ合わせた保温材１０４と保温粒体１０５とを充填した後、この保持袋１０２の開口部を溶着して閉じる。
【００３２】
次いで、作業者は、布団皮１０１を構成する２つの布材を用意した後、図示しない縫製機にこれら２つの布材と前記保温材１０４および保温粒体１０５を充填した保持袋１０２とをセットして布団皮１０１の縫製を行う。この場合、縫製機は、布団皮１０１の外縁部を縫合するとともに布団皮１０１の内側領域に仕切線１０６を形成する。これにより、作業者は、布団１００を製造することができる。
【００３３】
（布団１００の作動）
次に、上記のように構成した布団１００の作動について説明する。この布団１００は、人の就寝時において身体上に被せられて用いられる。この場合、布団１００は、保温粒体１０５が互いに異なる複数種類の大きさで形成されているため、保温材１０４における大小様々な大きさの隙間にそれぞれ対応する大きさの保温粒体１０５が嵌って保持される。これにより、布団１００は、保温材１０４の保温性を向上させることができるとともに、就寝時にユーザが動いた場合であっても保温粒体１０５の保温材１０４からの離脱を抑制して保温性を維持させることができる。
【００３４】
また、布団１００は、仕切線１０６によって保温材１０４の位置ずれや偏りが防止されるほか、仕切線１０６を境界として屈曲することによって身体への密着性が確保される。具体的には、人形仕切線１０８ａおよび補助仕切線１０８ｂは、仰臥する身体における肩部から大腿部に掛けての身体の輪郭に沿って屈曲して身体との間の隙間の発生を抑制する。また、中央仕切線１０７は、ユーザが横臥した際に身体の前側および背側に布団を屈曲させて横臥した身体おける布団１００の頂上部付近に生じ易い身体との隙間の発生を抑制する。
【００３５】
また、外周仕切線１０９は、布団１００の外縁部より内側部分を同外縁部分に沿って屈曲させることによって、外縁部に開口部が生じて布団１００で覆われた内部空間と布団１００の外側とが連通することを抑制する。これらにより、布団１００は、身体を覆う内部空間の保温性を維持向上させることができる。
【００３６】
また、布団１００は、保温材１０４が保持袋１０２に収容されているため、保温粒体１０５が保温材１０４から離脱した場合であっても布団皮１０１からの漏出を防止できる。また、布団１００は、保持袋１０２の表面に保温層１０３が形成されているため、身体から放出された熱を反射して身体を覆う内部空間の保温性を維持向上させることができる。
【００３７】
また、さらに、布団１００は、布団１００の使用時以外の取扱いの際、具体的には、就寝前の寝床のセッティングの際、就寝後の片付けの際および洗濯や布団干しの際などにおいても保温粒体１０５の保温材１０４からの離脱や保温材１０４の位置ずれなどを防止することができる。
【００３８】
上記作動説明からも理解できるように、上記実施形態によれば、布団１００は、綿からなる保温材１０４内に互いに大きさが異なる複数の粒体からなる保温粒体１０５が混合されているため、保温材１０４内の様々な大きさの隙間にこの隙間に応じた大きさの保温粒体１０５がそれぞれ嵌って保持される。これにより、本発明に係る布団１００は、保温粒体１０５が保温材１０４に効果的に保持されて保温材１０４からの離脱が抑制されるため、保温粒体１０５による保温性を維持向上させることができるとともに保温粒体１０５の布団皮１０１からの漏出を抑制することができる。本発明に係る布団１００は、寝具１００におけるふっくらとした膨張感の喪失を抑制することができる。
【００３９】
さらに、本発明の実施にあたっては、上記実施形態に限定されるものではなく、本発明の目的を逸脱しない限りにおいて種々の変更が可能である。
【００４０】
例えば、上記実施形態においては、保温粒体１０５は、０.５〜２.０ｍｍの大きさの範囲で複数種類の大きさに形成された発泡ポリスチレン樹脂製の球体群によって構成されている。しかし、保温粒体１０５は、互いに大きさが異なる複数の発泡樹脂製の粒体で構成されていればよく、必ずしも上記実施形態に限定されるものではない。したがって、保温粒体１０５は、０.５ｍｍ未満または２.０を超える大きさの粒体で構成されていてもよいし、粒体の形状も球体以外の形状、例えば、立方体、直方体、多面体または錐体など様々な異形立体形状で構成することができる。この場合、本発明者の実験によれば、保温粒体１０５の大きさは、０.５ｍｍ以上かつ４.０ｍｍ以下、好ましくは、０.５ｍｍ以上かつ２.０ｍｍ以下が好適である。
【００４１】
また、これらの場合、保温粒体１０５は、表面に凹凸を形成して表面粗さを粗く形成しておくことで、保温材１０４からの離脱をより効果的に抑制することができる。なお、保温粒体１０５は、球状に形成することにより保温材１０４の奥深くまで入り込み易くなる。また、保温粒体１０５は、発泡ポリスチレン樹脂以外の樹脂材料によっても構成することができる。この場合、保持粒体１０５は、発泡ポリスチレン樹脂のように人畜無害の材料で構成されるとよい。
【００４２】
また、上記実施形態においては、保温粒体１０５は、大きさが１.０ｍｍ以上の保温粒体１０５が１.０ｍｍ未満の大きさの保温粒体１０５の数よりも多く構成されている。これにより、寝具１００は、保温材１０４に引っ掛かり易い大きさの大きな保温粒体１０５が大きさの小さい保温粒体１０５に比べて混合比率が大きいため、保温粒体１０５による保温性を維持向上させることができるとともに保温粒体１０５の表皮１０１からの漏出を抑制することができる。
【００４３】
しかし、保温粒体１０５は、互いに異なる大きさの粒体で構成されていればよく、必ずしも上記実施形態に限定されるものではない。したがって、保温粒体１０５は、例えば、互いに異なる大きさの粒体を同数ずつ、または相対的な大きさが小さい方の保温粒体１０５（例えば、大きさが０.５ｍｍ）の数が大きい方の保温粒体１０５（例えば、２.０ｍｍ）の数よりも多く構成することもできる。
【００４４】
例えば、保温粒体１０５は、保温材１０４に混合される保温粒体１０５の大きさのメディアン値（中央値）が同保温材１０４に混合される保温粒体の大きさの平均値よりも大きくなるように構成することができる。これによれば、寝具１００は、保温材１０４に混合される保温粒体１０５は、大きさの分布が均等（正規分布）ではなく大きい方に偏るようになる。すなわち、保温粒体１０４は、分布の度数が高い大きさ保温粒体１０５に対してかなり小さな大きさの保温粒体１０５を含むことになる。これにより、寝具１０５は、保温材１０４における小さな隙間や孔部にまで保温粒体１０５が進入することができるため、寝具１００の保温性を向上させることができる。
【００４５】
また、保温粒体１０５は、保温材１０４に混合される保温材１０４の大きさの平均値以上の大きな保温粒体１０５の数が平均値未満の大きさの保温粒体１０５の数よりも多くなるように構成することができる。これによれば、寝具１００は、保温材１０４に混合される保温粒体１０５の大きさの平均値以上の大きな保温粒体１０５の数が平均値未満の大きさの保温粒体１０５の数よりも多く含まれて構成されている。すなわち、寝具１００は、保温材１０４における隙間や孔部に嵌ったり引っ掛かったりし易い大きさの大きな保温粒体１０５が大きさの小さい保温粒体１０５に比べて混合比率が大きいため、保温粒体１０５による保温性を維持向上させることができるとともに保温粒体１０５の表皮からの漏出を抑制することができる。
【００４６】
また、保温粒体１０５は、保温材１０４に混合される保温粒体１０５の大きさのメディアン値が同保温材１０４に混合される保温粒体１０５の大きさの平均値よりも小さく構成することもできる。これによれば、寝具１００は、保温材１０４に混合される保温粒体１０５の大きさの分布において、大きさの小さい側の保温粒体１０５の数が大きさの大きな側の保温粒体１０５の数に比べて多くなるため、保温材１０４の隙間や孔部に対して複数の保温粒体１０５が嵌り易くなって寝具１００の保温性を向上させることができる。なお、これらの場合、保温材１０４に混合される保温粒体１０５における大小の混合割合は、適当な数（例えば、１００〜５００個）の保温粒体１０５を無作為に抽出したサンプリング法によって確認することができる。
【００４７】
また、上記実施形態においては、保温材１０４は、ポリエステル樹脂製の綿と木綿とを混合した生地によって構成した。しかし、保温材１０４は、空気が存在する多数の隙間や孔部（空洞）を有して身体を保温できる部材であればよいため、上記実施形態以外の化学繊維以外の綿、羽毛、羊毛、多孔質体（空気を保持する複数の孔部を有して構成されており、例えば、スポンジ、ウレタンおよび発泡スチロールなど）などを単独でまたはこれらを適宜混合したもので構成することができる。
【００４８】
また、上記実施形態においては、保温粒体１０５の保温材１０４に対する混合量は、保温材１０４の重量に対して保温粒体の重量を少なく設定（具体的には、１６％）した。かし、保温粒体１０５の保温材１０４に対する混合量は上記実施形態に限定されるものではなく、保温材１０４の重量に対して保温粒体の重量を同じまたは多く設定することもできる。これらの場合においては、寝具１００は、保温材１０４を表皮１０１内に均等に分散させ易くすることができるとともに、保温粒体１０５間や保温材１０４と保温粒体１０５との間の隙間に保温粒体１０５が詰められて寝具１００の保温性を向上させることができる。
【００４９】
また、上記実施形態においては、保持袋１０２を樹脂製のフィルム体で構成した。しかし、保持袋１０２は、保温材１０４および保温粒体１０５を漏出させることなく収容できる材料で構成されていれば、必ずしも上記実施形態に限定されるものではない。したがって、保持袋１０２は、例えば、不織布によって構成することもできる。また、保持袋１０２は、保温材１０４および保温粒体１０５を漏出させることなく収容するものであるため、布団皮１０１が保温材１０４および保温粒体１０５を漏出させることなく収容可能、または多少の漏出が許容できるのであれば、省略することができる。
【００５０】
また、上記実施形態においては、保温層１０３は、アルミニウムを蒸着した膜で構成した。しかし、保温層１０３は、熱線を反射または吸収する材料で構成されていればよく、必ずしも上記実施形態に限定されるものでない。したがって、保温層１０３は、例えば、熱線を吸収する黒色の塗料で構成することもできる。また、保温層１０３は、布団１００の保温性を向上させるためのものであるため、保温性が過剰な場合には省略することもできる。すなわち、保持袋１０２は、保温層１０３を省略して構成することもできる。
【００５１】
また、上記実施形態においては、布団皮１０１および保持袋１０２は、仕切線１０６を形成して内部空間を仕切った。これにより、布団１００は、仕切線１０６によって保温材１０４の位置ずれや偏りが防止されるほか、布団皮１０１の内部空間が仕切線１０６によって細かく仕切られているため、布団皮１０１が保温材１０４を押さえる力が強くなることにより保温粒体１０５が保温材１０４から離脱することをより効果的に抑制することもできる。また、布団１００は、保温材１０４から離脱した保温粒体１０５が布団皮１０１内にて一箇所に集まって布団１００の使用感を低下させることを抑えることができる。
【００５２】
しかし、布団皮１０１および保持袋１０２の各内部において保温材１０４の位置ずれや偏りが許容できる場合などには、省略することができる。また、仕切線１０６は、必ずしも就寝する身体の輪郭に沿って形成する必要はなく、例えば、布団皮１０１および保持袋１０２の内部を平面視で単にマス目状仕切るように縦横に形成するようにすることもできる。
【００５３】
また、上記実施形態においては、仕切線１０６は、就寝する身体の輪郭に沿って布団１００が屈曲するように構成した。しかし、このような仕切線１０６は、保温粒体１０５を有しない従来の布団、すなわち、布材を袋状に形成した布団皮内に綿や羽毛などからなる保温材を詰めた布団に設けることもできる。
【００５４】
また、上記実施形態においては、布団１００は、身体上に掛ける掛け布で構成した。しかし、本発明に係る布団は、掛け布以外の布団、例えば、就寝時に身体の下に敷く敷布やマットレス、枕のほか、実質的に布団といえる寝具、例えば、キャップなどで用いる寝袋などにも適用することができる。本発明の寝袋に適用した場合、本発明に係る布団皮は、保温材を収容する樹脂製や布製のシート材が相当する。
【符号の説明】
【００５５】
１００…布団、
１０１…布団皮、１０２…保持袋、１０３…保温層、１０４…保温材、１０５…保温粒体、１０６…仕切線、１０７…中央仕切線、１０８ａ…人形仕切線、１０８ｂ…補助仕切線、１０９…外周仕切線。
【図１】
2014207961.tif 000003
【図２】
2014207961.tif 000004